(57)【要約】      （修正有）【課題】端子台装置の正極線接続部と負極線接続部とに繋ぐ正極線と負極線とのターミナル端子の形状が互いに異なるようにし、異なった極性側の接続部にターミナル端子を合わせようとした場合にはターミナル端子の平板部が適正な状態で置けず、そのネジ止めが行なえないようにし、正極線と負極線とを極性が適合した状態で各接続部に確実に繋ぐことができるようにする。【解決手段】対の正極線３と負極線４とのいずれか一方の極性の極線に、端子取付部２３の近傍部分にして大径部を設け、正極線接続部５と負極線接続部６との内、一方の極性とは異なる他方の極性の接続部には、障害体２５を設け、障害体は、大径部の乗せ置きによって他方の極性の接続部と一方の極性のターミナル端子との間を離して他方の極性の接続部と一方の極性のターミナル端子との接続を不能とするものとした。【選択図】図３
2014143046.tif 000002
【特許請求の範囲】
【請求項１】
電気回路の正極に接続されている正極線接続部と負極に接続されている負極線接続部とを並設して有し、直流電力供給側での正極線と負極線とを対としたケーブルにおける前記正極線が前記正極線接続部に繋がり、前記ケーブルにおける前記負極線が前記負極線接続部に繋がる端子台装置であって、
前記正極線と前記負極線とのいずれか一方の極線のケーブルの当該ケーブルに対応する前記正極線接続部または前記負極線接続部のいずれか一方の近傍部分に設けられた大径部が前記一方の極線のケーブルがこの極線のケーブルと対応しない前記正極線接続部または前記負極線接続部への接続を抑制する障害体を有し、
前記障害体は、前記大径部を乗せ置くことを特徴とする端子台装置。
【請求項２】
上記障害体は、前記ケーブルの外径より広くかつ前記大径部の外径より狭くした間隔で対向する一対の立壁から成ることを特徴とする請求項１に記載の端子台装置。
【請求項３】
上記障害体は、上記他方の極性の接続部に繋いだ上記他方の極性の極線における端子取付部の近傍部分に対応する位置に、他方の極性の極線の配設位置下から上方に向けて突出している凸部であって、その上方への突出量は、他方の極性の接続部に上記一方の極性の極線に取り付けたターミナル端子を対応させたときの大径部の乗せ置きによって他方の極性の接続部と前記一方の極性のターミナル端子との間が離れる突出量とされている請求項１に記載の端子台装置。
【請求項４】
上記一方の極性の極線に設けられている上記大径部は、一方の極性の極線を中心にしてこの一方の極性の極線をそれぞれ円弧形状とした対の半割部材で挟み付けてなるものである請求項１から３の何れか一項に記載の端子台装置。
【請求項５】
太陽電池など再生可能エネルギーによる直流電力とこの直流電力を交流電力に変換する変換部との間に上記請求項１から４の何れか一項の端子台装置が介在していて、前記直流電力の正極側が前記端子台装置の正極線接続部に導通されていると共に前記直流電力の負極側が前記端子台装置の負極線接続部に導通されていることを特徴とする電気機器。
【発明の詳細な説明】
【技術分野】
【０００１】
本発明は、直流電力用の電気ケーブルの正極線と負極線とをその極性の接続間違えを防止する端子台装置と、この端子台装置を備える電気機器に関するものである。
【背景技術】
【０００２】
太陽電池の直流出力（再生可能エネルギー）は、開閉スイッチを有する接続箱を介して直流電力を交流電力に変換する電気機器へ供給されている。そして前記接続箱には、図１０に示されているようにケースａ内に保守点検の際などに操作する開閉スイッチｂがあり、太陽電池からの電力線がこの開閉スイッチｂに接続され、この開閉スイッチｂを経た直流電力が端子台装置１から出力される。
【０００３】
接続箱に組み入れられている端子台装置１には、直流電力が出力される電力線（ケーブル）が接続される。図１１に示すようにこの端子台装置１ではケーブル２の対となっている正極線３と負極線４とを繋ぐための正極線接続部５と負極線接続部６とを並設していて、電気回路の正極入力部７と導通する導電板９が前記正極線接続部５に配されているとともに、電気回路の負極入力部８と導通する導電板１０が前記負極線接続部６に配されている。
【０００４】
並設した正極線接続部５と負極線接続部６とのそれぞれの両脇には台座部１１と一体の立壁１２を立ち上げていて、正極線接続部５と負極線接続部６との間の立壁１２は共有の壁として両接続部を仕切っている。そして、前記立壁１２それぞれは図示されているように、この正極線接続部５と負極線接続部６とに繋ぐ正極線３と負極線４との先端側の部分も仕切ることができるように、正極線接続部５と負極線接続部６との並設方向とは直交する方向に長尺に形成されている。
【０００５】
正極線接続部５と負極線接続部６へのケーブル２の接続は、正極線３と負極線４とのそれぞれにかしめ固定した同一形状のターミナル端子１３を用いて行なわれていて、図１２に示すようにそのターミナル端子１３はネジ孔１４が開けられた平板部１５の端部にかしめ部１６があり、正極線接続部５と負極線接続部６との導電板９、１０それぞれに開けられたネジ孔１４とターミナル端子１３側のネジ孔１４とを合わせるようにしてターミナル端子１３を正極線接続部５と負極線接続部６に重ね合わせ、ネジ止めにて正極線接続部５に正極線３を繋ぎ、負極線接続部６に負極線４を繋いでいた。
【０００６】
上記端子台装置への正極線と負極線の接続には、図示されているように同一形状のターミナル端子を正極線と負極線とのそれぞれに取り付けて、ターミナル端子を正極線接続部と負極線接続部とにネジ止めしているが、正極線と負極線とを挿し違えないようにする必要がある。
【０００７】
このような直流電力の供給を受ける側から引き出されてきた正極線と負極線とを直流電力の電源側に繋ぐ作業において、正極線と負極線とを挿し違えないように繋ぐ工夫としては、例えば特許文献１に示されているように蓄電池においてその一方の蓄電池端子自体を凹部を有する形状にするとともに、他方蓄電池端子自体を凸部を有する形状にし、さらに一方の引出線に取り付けた引出線端子自体に前記凹部と嵌合する凸片を設け、他方の引出線に取り付けた引出線端子自体に前記凸部と嵌合する凹切欠部を設けた工夫が提案されており、一方の蓄電池端子に他方の引出線を対応させかけたり、他方の蓄電池端子に一方の引出線を対応させかけた場合に、蓄電池端子と引出線端子とが嵌まり合わないようにしたものであった。
【先行技術文献】
【特許文献】
【０００８】
【特許文献１】実開昭５８−０３８９７４号公報
【発明の概要】
【発明が解決しようとする課題】
【０００９】
例えば太陽電池を用いたシステムでは、太陽電池から出力される直流電力を電力線（ケーブル）などを用いて配線工事する必要があり、その際、電力線の極性（正極及び負極）を正しく接続する必要がある。しかし、この配線工事では現場調達されるケーブルにターミナル端子を取り付けるケーブル端末加工が行われるが、一方の電線である正極線と他方の電線である負極線とのいずれにも同じ形状のターミナル端子がかしめ固定されるため、この正極線と負極線とを、端子台装置の隣り合った正極線接続部と負極線接続部とに止め付ける作業で間違った極性側に正極線のターミナル端子と負極線のターミナル端子をネジ止めしてしまう誤接続を起こす可能性があった。
【００１０】
この対策として上記特許文献１に示されている如くのものが考えられたが正極線接続部と負極線接続部とのそれぞれに配される導電板は、ターミナル端子のネジ止めに際しても変形することのないように厚みのある導電金属板からなるものであるため、上述したように板厚み方向で凹んでなる凹部や板厚み方向に盛り上がってなる凸部を形成するとコスト高になるという問題があり、導電板の小型化を図る場合での前記凹部、凸部の形成自体が困難なものとなる。このため、現状において導電板それぞれのターミナル端子を受ける上面部分は平坦であり、ターミナル端子も同一形状としており、誤接続の可能性を無くすことが難しかった。
【００１１】
そこで本発明は上記事情に鑑み、正極線と負極線とを極性が適合した状態で各接続部に確実に繋ぐことができるようにすることを目的とする。
【課題を解決するための手段】
【００１２】
（請求項１の発明）
本発明は上記課題を考慮してなされたもので、電気回路の正極に接続されている正極線接続部と負極に接続されている負極線接続部とを並設して有し、直流電力供給側での正極線と負極線とを対としたケーブルにおける前記正極線が前記正極線接続部に繋がり、前記ケーブルにおける前記負極線が前記負極線接続部に繋がる端子台装置であって、
前記正極線と前記負極線とのいずれか一方の極線のケーブルの当該ケーブルに対応する前記正極線接続部または前記負極線接続部のいずれか一方の近傍部分に設けられた大径部が前記一方の極線のケーブルがこの極線のケーブルと対応しない前記正極線接続部または前記負極線接続部への接続を抑制する障害体を有し、
前記障害体は、前記大径部を乗せ置くことを特徴とする端子台装置を提供して、上記課題を解消するものである。
【００１３】
（請求項２の発明）
また、本発明の端子台装置は、上記障害体は、前記ケーブルの外径より広くかつ前記大径部の外径より狭くした間隔で対向する一対の立壁から成るものであることが良好である。
【００１４】
（請求項３の発明）
また、本発明の端子台装置は、上記障害体は、上記他方の極性の接続部に繋いだ上記他方の極性の極線における端子取付部の近傍部分に対応する位置に、他方の極性の極線の配設位置下から上方に向けて突出している凸部であって、その上方への突出量は、他方の極性の接続部に上記一方の極性の極線に取り付けたターミナル端子を対応させたときの大径部の乗せ置きによって他方の極性の接続部と前記一方の極性のターミナル端子との間が離れる突出量とされていることが良好である。
【００１５】
（請求項４の発明）
また、本発明の端子台装置は、上記一方の極性の極線に設けられている上記大径部は、一方の極性の極線を中心にしてこの一方の極性の極線をそれぞれ円弧形状とした対の半割部材で挟み付けてなるものであることが良好である。
【００１６】
（請求項５の発明）
さらに、もう一つの発明は、太陽電池など再生可能エネルギーによる直流電力とこの直流電力を交流電力に変換する変換部との間に上記請求項１から４の何れか一項の端子台装置が介在していて、前記直流電力の正極側が前記端子台装置の正極線接続部に導通されていると共に前記直流電力の負極側が前記端子台装置の負極線接続部に導通されていることを特徴とする電気機器であり、この電気機器を提供して上記課題を解消するものである。
【発明の効果】
【００１７】
（請求項１の発明の効果）
請求項１の発明によれば、並設されている対の正極線接続部と負極線接続部とにケーブルの対の正極線と負極線とを繋ぐに際し、その正極線と負極線の内、大径部が設けられている一方の極性の極線を、前記一方の極性の極線と同じ極性の接続部に対応させると、その一方の極性の接続部側には障害体が設けられていないことから、前記一方の極性の極線を前記一方の極性の接続部に接続させることができる。また、大径部が設けられていない他方の極性の極線を、障害体を備える他方の極性の接続部に対応させると、その他方の極性の接続部における障害体から他方の極性の極線が取付不能となる干渉を受けないことから、他方の極性の極線を他方の極性の接続部に接続させることができる。
【００１８】
逆に、大径部が設けられている一方の極性の極線を、障害体を備える上記他方の極性の接続部に対応させると、その他方の極性の接続部における障害体に、前記一方の極性の極線に設けられている大径部が乗ることとなって、その障害体から前記一方の極性の極線が取付不能となる干渉を受けることとなり、前記一方の極性の極線を他方の極性の接続部に接続させることができないものとなる。即ち、誤接続となる対応をさせた場合には前記他方の極性の接続部に対し、誤った極性側の端子を接続することができないようになる。そして、その作業者は誤接続であることを簡単に知ることができてその誤接続を未然に防止することができるという優れた効果を奏するものである。
【００１９】
（請求項２の発明の効果）
請求項２の発明によれば、正極線接続部と負極線雪像部とに接続した正極線と負極線との端子（例えばターミナル端子）側を仕切る立壁を利用して障害体を備えるようにするので、その障害体の形成が頗る簡単となって製造コストを引き上げることのない端子台装置が得られるという優れた効果を奏するものである。
【００２０】
（請求項３の発明の効果）
請求項３の発明によれば、障害体を、上記他方の極性の接続部に繋いだ上記他方の極性の極線における端子取付部の近傍部分に対応する位置に、他方の極性の極線の配設位置下から上方に向けて突出している凸部からなるものとしているので、その障害体の形成が頗る簡単となって製造コストを引き上げることのない端子台装置が得られるという優れた効果を奏するものである。
【００２１】
（請求項４の発明の効果）
請求項４の発明によれば、太陽光発電の設備を一般家屋に設置するなどに際し、現場調達したケーブルの一端を加工する現場作業で、大径部を必要とされる側の極線に設けることができるという優れた効果を奏するものである。
【００２２】
（請求項５の発明の効果）
請求項５の発明によれば、発電源などからの直流電力とこの直流電力を交流電力に変換する直流電力供給側の変換部との間に上記端子台装置が介在しているので、その端子台装置に直流電力供給側のケーブルにおける正極線と負極線とを接続するに際し、極性を誤って接続しかけた場合、端子台装置での障害体に大径部が乗った状態となった極線が位置する接続部では、誤った極性の極線側の端子の部分が離れた状態となって接続できないようになり、作業者は誤接続であることを簡単に知ることができて、誤接続を未然に防止することができるという優れた効果を奏するものである。
【図面の簡単な説明】
【００２３】
【図１】本発明に係る電気機器の一例を概略的に示す説明図である。
【図２】本発明に係る端子台装置の第一の例を上方から見た状態で示す説明図である。
【図３】第一の例を分解状態で示す説明図である。
【図４】第一の例における大径部が障害体に乗せ置かれた状態を示す説明図である。
【図５】第二の例を分解状態で示す説明図である。
【図６】第二の例における大径部が障害体に乗せ置かれた状態を示す説明図である。
【図７】大径部を対の半割部材で形成する例を示す説明図である。
【図８】対の半割部材の連結を断面で示す説明図である。
【図９】対の半割部材からなる大径部の変形例を示す説明図である。
【図１０】従来における接続箱を示す説明図である。
【図１１】端子台装置における配線状態を示す説明図である。
【図１２】端子台装置における接続部への配線を分解状態で示す説明図である。
【発明を実施するための形態】
【００２４】
つぎに本発明を図１から図９に示す実施の形態に基づいて詳細に説明する。なお、上述した従来の例と構成が重複する部分は同符号を付してその説明を省略する。図中１７は直流電力を交流電力へ変換する電力変換装置（変換部）であり、制御機能を有する部分Ａと、この部分Ａの電気回路の正極が繋がれている上記正極線接続部５及び前記電気回路の負極が繋がれている上記負極線接続部６とを有する端子台装置１を有する部分Ｂとをケース内に組み入れられているものである。端子台装置１は、直流電力が接続される正極線接続部５と負極線接続部６と交流電力が出力される系統連系用の交流接続部と同様に自立運転の際の交流電力が出力される接続部が同時に並設されている。
【００２５】
（第一の例）
上記端子台装置１にあっては正極線接続部５と負極線接続部６とに対しケーブル２の正極線３と負極線４とが誤接続されないようにするための工夫が設けられていて、図２から図４はその第一の例を示している。この端子台装置１の電気回路につながる正極入力部７と負極入力部８との高さ位置に対して正極線接続部５と負極線接続部６との高さ位置が上位となるように台座部１１が段状に形成されている。正極入力部７から正極線接続部５に亘って略Ｚ状に屈曲した導電板９を取り付け、負極入力部８から負極線接続部６に亘って同じように略Ｚ状に屈曲した導電板１０を取り付けており、前記正極線接続部５には台座部１１の上段となる取付面１８に導電板９の上平板９ａが位置し、前記負極線接続部６には台座部１１の上段となる取付面１９に導電板１０の上平板１０ａが位置している（図３参照）。
【００２６】
正極線接続部７と負極線接続部８とのそれぞれには、正極線３にかしめ固定したターミナル端子２０と、負極線４にかしめ固定したターミナル端子２１とのそれぞれをネジ止めできるように上平板９ａ、１０ａからその下位の取付面１８、１９にかけて、その取付面１８、１９の中央線上となるようにしてネジ孔１４が設けられている。
【００２７】
また、正極線接続部５と負極線接続部６とのそれぞれの両側には、壁上端の高さ位置を両接続部５、６にネジ止めのネジのネジ頭の高さ位置より上位にして台座部１１に一体にされている立壁２２が設けられていて、正極線接続部５と負極線接続部６との間に一つの立壁２２があり、両接続部５、６がこの一つの立壁２２を側部に立ち上がる壁として共有している。
【００２８】
立壁２２は、ネジ止めしたターミナル端子２０、２１に対する電圧印加時の電気的安全構造（空間距離、絶縁距離）を確保するため、また他物が不用意に接触したりターミナル端子２０、２１同士が不用意に接触し合わないように導電板９、１０の上平板９ａ、１０ａ周りや、接続したターミナル端子２０、２１、そして、正極線３と負極線４とのターミナル端子を取り付けた端子取付部２３を保護する役割を備えており、正極線３、負極線４の端子取付部２３の近傍部分２４に対応する位置までに及ぶように、各立壁２２は接続部の並び方向に直交する方向に延設された仕切り壁として形成されている。
【００２９】
この第一の例においては、上記正極線接続部５と上記負極線接続部６との内、正極線接続部５の両側の立壁２２には、誤って負極線４を対応させたときに負極線４のターミナル端子２１が正極線接続部５における導電板９の上平板９ａから離間した状態となって重ね合わせできないようにするための障害体２５が設けられている。
【００３０】
上記障害体２５は、正極線接続部５の両側の立壁２２それぞれに設けられて対となっているものである。そして、障害体２５は、この正極線接続部５の極性と同じ極性の極線として繋いだ正極線３における端子取付部２３の近傍部分２４に対応するようにして立壁２２それぞれの内面側に一体にして設けられており、図示のように相対向した位置にある。そして、正極線３が配設される位置である立壁間の中央部分に向けて立壁２２自体を厚肉にすることで、この障害体２５が対向する間隔を、立壁２２の本体部分が対向する間隔より狭くしている。また、正極線接続部５に繋いだ正極線３を前記障害体２５の間に配設できるように、障害体２５が対向する間隔は正極線３の外径より広くしている。さらに、図示の例にあっては、障害体２５それぞれは立壁２２の端部からその立壁２２の長手方向に沿って延設され、立壁２２の高さに対して段差が生じる高さのものとしている。
【００３１】
一方、負極線４が接続されている負極線取付部６の両側で立ち上げられている立壁２２の内面側には上記障害体２５は何ら設けられていない。この立壁２２に障害体２５を設けていない負極線接続部６に繋がれた負極線４にあっては、ターミナル端子２１が導電板１０の上平板１０ａに重ねられてネジ止めされていて、そのターミナル端子２１を取り付けた端子取付部２３からの負極線４が、相対向する立壁２２の間に配設されている。
【００３２】
上記負極線４にあっては、端子取付部２３の近傍部分２４に略円中状とした大径部２６が設けられている。この大径部２６の外径は、前記負極線４の極線の外径より大きいとともに、負極線接続部６の両側の立壁２２が対向する間隔よりも小さく設けられており、加えて導電板１０の上平板１０ａから立壁２２の間の極線配設底面２７までの段差に対して大径部２６の半径が小さくされている。これによって、負極線接続部６の導電板１０の上平板１０ａにターミナル端子２１を重ね合わせてネジ止めし、端子取付部２３からの極線及び大径部２６がある部分を立壁２２の間を通るように対応させて大径部２６を立壁２２が対向する空間内に位置させても、その立壁２２から干渉を受けることがなく前記立壁２２の間に適正に配設され、前記上平板１０ａにターミナル端子２１をネジ止めすることが妨げられないものとなっている。
【００３３】
このように端子台装置１において正極線接続部５に、この正極線接続部５の極性と同じ極性とされた正極線３を対応させる場合は、正極線接続部５の立壁２２それぞれに内面側に障害体２５が設けられていても、その障害体２５の間に正極線３が配設されることとなり、ターミナル端子２０を導電板９の上平板９ａにネジ止めして適正に接続できる。同様に、負極線接続部６に、この負極線接続部６の極性と同じ極性とされた負極線４を対応させる場合、この負極線４が端子取付部２３の近傍部分に大径部２６を備えていても、大径部２６自体は負極線接続部６の立壁２２に規制されることなしにその立壁２２の間に入り込む形で負極線４が立壁２２の間に配設されることとなり、ターミナル端子２１を導電板１０の上平板１０ａにネジ止めして適正に接続できる。
【００３４】
上記正極線接続部５に正極線３を繋ぎ、負極線接続部６に負極線４を繋ぐ適正な接続に反して、正極線３と負極線４との接続位置が取り違えられた場合、大径部を設けた一方の極性の極線を、この一方の極性の極線の極性と異なる極性の接続部であって立壁に障害体を設けた接続部に対応させる状態、即ち、大径部２６を端子取付部２３の近傍部分２４に設けた負極線４を正極線接続部５に対応させるための作業が生じることとなる。
【００３５】
しかしながら、上述したように正極線接続部５の対の障害体２５の対向間隔は大径部２６の外径より小さいため、前記大径部２６を備えている負極線４を正極線接続部５に対応させても前記対の障害体２５の上端間に跨るようにしてその上に乗せ置かれ、障害体２５の間には入り込むことができなくなる。そして、前記障害体２５は、この障害体２５に大径部２６が乗せ置かれることによって正極線接続部５の導電板９の上平板９ａとターミナル端子２０との間を離し、この両者の接続、即ち、ネジ止めを不能とするものとされていて、離れた正極線接続部５の導電板９の上平板９ａと前記ターミナル端子２０とのネジ止めを行なわせず、また、正極線接続部５の導電板９の上平板９ａとターミナル端子２０との間が離れたままに維持されるので、作業者側に、正極線接続部５とした接続部と、負極線４とした極線との対応付けが誤接続である点を簡単に示すことができるものである。
【００３６】
なお、前記大径部２６を有していない正極線３は極性が揃わない負極線接続部６に対応させて繋ぐことができるが、そうした場合でも、ケーブルの対の片方の極線である負極線４を正極線接続部５側に対応させる作業があるので、誤接続の状態となったことを示すことができる。
【００３７】
（第二の例）
図５と図６とは第二の例を示していて、正極線接続部５の両側の立壁２２の間であってこの正極線接続部５に繋いだ正極線３の端子取付部２３の近傍部分２４に対応する位置に障害体２５が配されており、正極線３の配設位置の下面となる極線配設底面２７から上方に向けて突出した凸部によって前記障害体２５を成している。
【００３８】
上記障害体２５は、正極線接続部５の導電板９の上平板９ａの上方でターミナル端子２１が位置するように負極線４をこの正極線接続部５に対応させたときに負極線４に設けられている大径部２６が乗せ置かれるようにしているものであり、この障害体２５の上方への突出量は、正極線接続部５に負極線４のターミナル端子２１を対応させたときの大径部２６の乗せ置きによって、正極線接続部５の導電板９の上平板９ａと負極線４のターミナル端子２１との間が離れる突出量とされている。即ち、第一の例での障害体２５の働きと同じように、この凸部からなる障害体２５に大径部２６が乗せ置かれることで、前記上平板９ａとターミナル端子２１とを適正な重ね合わせの状態とはならないようにして両者の接続を不能とする。
【００３９】
この第二の例の端子台装置１での正極線３の接続について、正極線接続部５に正極線３を対応させる場合、上記障害体２５が立ち上がっているが、正極線３自体には大径部２６が設けられておらず、また障害体２５も、正極線接続部５の極性に同じ極性の極線であるところの正極線３に非接触、或いは接触したとしても、正極線３の正極線接続部５への繋ぎを可能とする突出高さに規制されており、よって、正極線３のターミナル端子２０を上平板９ａに重ね合わせてネジ止めされる。
【００４０】
なお、上記各例において、正極線接続部５側に障害体２５を設け、負極線４に大径部２６を設けたものとしたが、逆の構成として負極線接続部６側に障害体２５を設け、正極線３に大径部２６を設けるようにすることも可能である。
【００４１】
上記負極線４が備える大径部２６は負極線４に一体に形成されているものとして説明したが、つぎのように別成形された合成樹脂製の部材を取り付けることによって形成されるものであってもよい。例えば、図７はその一例を示していて、大径部２６は、負極線４を中心になるようにしてこの負極線４を円弧形状とした対の半割部材２８、２９で挟み付けてなり、負極線４の端子取付部２３の近傍部分２４に、この負極線４より大径とした円柱形状の部分を形成するものとすることが可能である。
【００４２】
この例において、断面を略円弧形状としている一方の半割部材２８は、他方の半割部材２９に相対する対向面に係止爪３０が設けられているとともに、他方の半割部材２９は、前記係止爪３０が挿入されて係止する係止孔３１がその係止爪３０に対応する位置にして設けられており、負極線４の端子取付部２３の上記近傍部分２４が間になるように半割部材２８と半割部材２９とを組み合わせ、半割部材２８の係止爪３０を半割部材２９の係止孔３１に挿入して係止させることで半割部材２８と半割部材２９とが連結されるようにしており、連結された半割部材２８と半割部材２９とで大径部２６を形成するようにしている。なお、連結した半割部材２８と半割部材２９とは中央に位置することになった負極線４を強く締め付けており、負極線４の端子取付部２３の近傍部分２４に形成した大径部２６が締め付け力によって移動することのないようにしている。
【００４３】
図９は上述した半割部材２８と半割部材２９との組み合わせから大径部２６を形成した例の変形を示すものであり、半割部材２８、半割部材２９のそれぞれに端子取付部２３側に延びる断面弧状の延設部３２を設け、この対の延設部３２で端子取付部２３を取り囲んで保護する構造とすることも可能である。
【００４４】
なお、図３、図５に示す分解した構成では台座部１１の下部（接続器として複数の端子台構成部分の下部が連続している部分）は端子台装置の説明を容易にするためにその図示を略した。
【符号の説明】
【００４５】
１…端子台装置
２…ケーブル
３…正極線
４…負極線
５…正極線接続部
６…負極線接続部
１２…立壁
１３…ターミナル端子
１７…電力変換装置
Ａ…制御機能を有する部分
Ｂ…端子台装置４を有する部分
２０、２１…ターミナル端子
２２…立壁
２３…端子取付部
２４…近傍部分
２５…障害体
２６…大径部
２７…極線配設底面
２８、２９…半割部材
３０…係止爪
３１…係止孔
３２…延長部
【図１】
2014143046.tif 000003
【図２】
2014143046.tif 000004
【図３】
2014143046.tif 000005
【図４】
2014143046.tif 000006
【図５】
2014143046.tif 000007
【図６】
2014143046.tif 000008
【図７】
2014143046.tif 000009
【図８】
2014143046.tif 000010
【図９】
2014143046.tif 000011
【図１０】
2014143046.tif 000012
【図１１】
2014143046.tif 000013
【図１２】
2014143046.tif 000014